(57)【要約】【課題】ユーザに一切の負担をかけず、不必要な画像の投影を一時的に停止させる。【解決手段】画像データを出力するパーソナルコンピュータ（ＰＣ）１と、入力される画像データに基づいた投影表示を行なうデータプロジェクタ装置２とを接続してなる投影システムで、ＰＣ１は、特定の動作状態となったタイミングで画像のミュートの解除と設定を指示する信号を発信し（Ｔ02〜Ｔ04，Ｔ05〜Ｔ07）、データプロジェクタ装置２は、ＰＣ１から送られてくる指示信号に応じて一時的に画像の投影表示を停止する（Ｒ02〜Ｒ07）。【選択図】  図４
2014206742.tif 000002
【特許請求の範囲】
【請求項１】
画像データを出力するデータ処理装置と、入力される画像データに基づいた投影表示を行なう投影装置とを接続してなる投影システムであって、
上記データ処理装置は、
特定の動作状態となったタイミングで画像のミュートの解除と設定を指示する信号を発信する発信手段を備え、
上記投影装置は、
上記発信手段によりデータ処理装置から送られてくる指示信号に応じて一時的に画像の投影表示を停止する画像ミュート制御手段を備えた
ことを特徴とする投影システム。
【請求項２】
上記特定の動作状態は、特定のアプリケーションソフトウェアの起動と終了であることを特徴とする請求項１記載の投影システム。
【請求項３】
上記特定の動作状態は、特定のアプリケーションソフトウェアがアクティブであるか否かであることを特徴とする請求項１記載の投影システム。
【請求項４】
上記特定のアプリケーションソフトウェアは、プレゼンテーションソフトウェアであることを特徴とする請求項２または３記載の投影システム。
【請求項５】
入力される画像データに基づいた投影表示を行なう投影装置と接続して投影システムを構成する、画像データを出力するデータ処理装置であって、
特定の動作状態となったタイミングで画像のミュートの解除と設定を判断する判断手段と、
この判断手段での判断結果に応じて一時的に画像データの出力を停止する画像ミュート制御手段と
を具備したことを特徴とするデータ処理装置。
【請求項６】
画像データを出力するデータ処理装置と、入力される画像データに基づいた投影表示を行なう投影装置とを接続してなる投影システムで実行される投影方法であって、
上記データ処理装置は、特定の動作状態となったタイミングで画像のミュートの解除と設定を指示する信号を発信する発信工程を有し、
上記投影装置は、上記発信工程でデータ処理装置から送られてくる指示信号に応じて一時的に画像の投影表示を停止する画像ミュート制御工程を有した
ことを特徴とする投影方法。
【請求項７】
入力される画像データに基づいた投影表示を行なう投影装置と接続して投影システムを構成する、画像データを出力するデータ処理装置で実行される投影方法であって、
特定の動作状態となったタイミングで画像のミュートの解除と設定を判断する判断工程と、
この判断工程での判断結果に応じて一時的に画像データの出力を停止する画像ミュート制御工程と
を有したことを特徴とする投影方法。
【請求項８】
画像データを出力するデータ処理装置と、入力される画像データに基づいた投影表示を行なう投影装置とを接続してなる投影システムで実行される、個々の装置に内蔵されたコンピュータが実行するプログラムであって、
上記データ処理装置は、特定の動作状態となったタイミングで画像のミュートの解除と設定を指示する信号を発信する発信ステップを、
上記投影装置は、上記発信ステップでデータ処理装置から送られてくる指示信号に応じて一時的に画像の投影表示を停止する画像ミュート制御ステップを
それぞれ内蔵するコンピュータに実行させることを特徴とするプログラム。
【請求項９】
入力される画像データに基づいた投影表示を行なう投影装置と接続して投影システムを構成する、画像データを出力するデータ処理装置に内蔵されたコンピュータが実行するプログラムであって、
特定の動作状態となったタイミングで画像のミュートの解除と設定を判断する判断ステップと、
この判断ステップでの判断結果に応じて一時的に画像データの出力を停止する画像ミュート制御ステップと
をコンピュータに実行させることを特徴とするプログラム。
【発明の詳細な説明】
【技術分野】
【０００１】
本発明は、例えばプロジェクタ装置をパーソナルコンピュータ等と接続してプレゼンテーション等を行なうのに好適な投影システム、データ処理装置、投影方法及びプログラムに関する。
【背景技術】
【０００２】
近時、パーソナルコンピュータがより一般化する一方で、画像表示素子に液晶パネルやマイクロミラー素子等を用いた携帯可能なデータプロジェクタ装置が普及しており、これらパーソナルコンピュータとデータプロジェクタ装置を接続し、パーソナルコンピュータ上でプレゼンテーション用のソフトウェアを実行してそれをプロジェクタ装置で投影表示させることで、より容易に表現力豊かなプレゼンテーションを気軽に実施することが可能となっている。
【０００３】
このようにパーソナルコンピュータでプレゼンテーション用のソフトウェアを実行してプロジェクタ装置で投影表示させる場合、その時点でのパーソナルコンピュータの画面内容がそのままプロジェクタ装置により投影表示されることになる。
【０００４】
そのため、ユーザはプレゼンテーション時の状況に応じ、投影がかえって邪魔になると判断した場合には、必要に応じて画像の投影を一時的に停止、より詳細には「黒画像」を表示することで、光源ランプでの発光は維持しながらも、擬似的に投影を停止する必要があるもので、一般には投影画像の「ミュート」機能として知られており、この種のミュート機能を行なうものとして、例えば以下に示すような技術が考えられている。
【０００５】
すなわちこの技術は、画像ミュートまたはＡ（音声）／Ｖ（画像）ミュート機能の効果をより高めるプロジェクタを提供するべく、画像表示用光変調素子、光変調素子を照明するランプ、およびランプ冷却用のファンを備えた画像表示装置で、画像表示装置の表示画面を非表示にするかまたは予め定めた所定の表示に設定する画像ミュート手段と、画像ミュート手段による設定及びその設定の解除に対応してランプの出力輝度を調整するランプ出力輝度調整手段とを備えるようにしたものである。（例えば、特許文献１）
【先行技術文献】
【特許文献】
【０００６】
【特許文献１】特開２００３−２８００８７号公報
【発明の概要】
【発明が解決しようとする課題】
【０００７】
しかしながら、上記特許文献１の技術も含めて、投影画像のミュート動作の設定とその解除はいずれもユーザのキー操作により行なうもので、必要なキー操作が遅れてしまった場合、あるいはキー操作を忘れてしまった場合には、当然のことながらユーザが投影したくない画像がスクリーン画面上に投影表示されてしまうという不具合があった。
【０００８】
本発明は上記のような実情に鑑みてなされたもので、その目的とするところは、ユーザに一切の負担をかけずに、不必要と思われる画像の投影を一時的に停止させることが可能な投影システム、データ処理装置、投影方法及びプログラムを提供することにある。
【課題を解決するための手段】
【０００９】
請求項１記載の発明は、画像データを出力するデータ処理装置と、入力される画像データに基づいた投影表示を行なう投影装置とを接続してなる投影システムであって、上記データ処理装置は、特定の動作状態となったタイミングで画像のミュートの解除と設定を指示する信号を発信する発信手段を備え、上記投影装置は、上記発信手段によりデータ処理装置から送られてくる指示信号に応じて一時的に画像の投影表示を停止する画像ミュート制御手段を備えたことを特徴とする投影システム。
【００１０】
請求項２記載の発明は、上記請求項１記載の発明において、上記特定の動作状態は、特定のアプリケーションソフトウェアの起動と終了であることを特徴とする。
【００１１】
請求項３記載の発明は、上記請求項１記載の発明において、上記特定の動作状態は、特定のアプリケーションソフトウェアがアクティブであるか否かであることを特徴とする。
【００１２】
請求項４記載の発明は、上記請求項２または３記載の発明において、上記特定のアプリケーションソフトウェアは、プレゼンテーションソフトウェアであることを特徴とする。
【００１３】
請求項５記載の発明は、入力される画像データに基づいた投影表示を行なう投影装置と接続して投影システムを構成する、画像データを出力するデータ処理装置であって、特定の動作状態となったタイミングで画像のミュートの解除と設定を判断する判断手段と、この判断手段での判断結果に応じて一時的に画像データの出力を停止する画像ミュート制御手段とを具備したことを特徴とする。
【００１４】
請求項６記載の発明は、画像データを出力するデータ処理装置と、入力される画像データに基づいた投影表示を行なう投影装置とを接続してなる投影システムで実行される投影方法であって、上記データ処理装置は、特定の動作状態となったタイミングで画像のミュートの解除と設定を指示する信号を発信する発信工程を有し、上記投影装置は、上記発信工程でデータ処理装置から送られてくる指示信号に応じて一時的に画像の投影表示を停止する画像ミュート制御工程を有したことを特徴とする。
【００１５】
請求項７記載の発明は、入力される画像データに基づいた投影表示を行なう投影装置と接続して投影システムを構成する、画像データを出力するデータ処理装置で実行される投影方法であって、特定の動作状態となったタイミングで画像のミュートの解除と設定を判断する判断工程と、この判断工程での判断結果に応じて一時的に画像データの出力を停止する画像ミュート制御工程とを有したことを特徴とする。
【００１６】
請求項８記載の発明は、画像データを出力するデータ処理装置と、入力される画像データに基づいた投影表示を行なう投影装置とを接続してなる投影システムで実行される、個々の装置に内蔵されたコンピュータが実行するプログラムであって、上記データ処理装置は、特定の動作状態となったタイミングで画像のミュートの解除と設定を指示する信号を発信する発信ステップを、上記投影装置は、上記発信ステップでデータ処理装置から送られてくる指示信号に応じて一時的に画像の投影表示を停止する画像ミュート制御ステップをそれぞれ内蔵するコンピュータに実行させることを特徴とする。
【００１７】
請求項９記載の発明は、入力される画像データに基づいた投影表示を行なう投影装置と接続して投影システムを構成する、画像データを出力するデータ処理装置に内蔵されたコンピュータが実行するプログラムであって、特定の動作状態となったタイミングで画像のミュートの解除と設定を判断する判断ステップと、この判断ステップでの判断結果に応じて一時的に画像データの出力を停止する画像ミュート制御ステップとをコンピュータに実行させることを特徴とする。
【発明の効果】
【００１８】
請求項１記載の発明によれば、ユーザに一切の負担をかけずに、特定のアプリケーションソフトウェアの動作状態に応じて不必要と思われる画像の投影を一時的に停止させることが可能となる。
【００１９】
請求項２記載の発明によれば、上記請求項１記載の発明の効果に加えて、特定のアプリケーションソフトウェアの起動と終了に応じて画像のミュート状態をより的確に切換えることができる。
【００２０】
請求項３記載の発明によれば、上記請求項１記載の発明の効果に加えて、特にマルチタスク環境にあるデータ処理装置で実際の処理内容に即した的確なタイミングで画像のミュート状態をより的確に切換えることができる。
【００２１】
請求項４記載の発明によれば、上記請求項２または３記載の発明の効果に加えて、特にプレゼンテーションを行なう際に、視聴者となる顧客等に不必要な画像を見せてしまうことを確実に阻止できる。
【００２２】
請求項５記載の発明によれば、ユーザに一切の負担をかけず、且つデータ処理装置単体の制御により、特定のアプリケーションソフトウェアの動作状態に応じて不必要と思われる画像の投影を一時的に停止させることが可能となる。
【００２３】
請求項６記載の発明によれば、ユーザに一切の負担をかけずに、特定のアプリケーションソフトウェアの動作状態に応じて不必要と思われる画像の投影を一時的に停止させることが可能となる。
【００２４】
請求項７記載の発明によれば、ユーザに一切の負担をかけず、且つデータ処理装置単体の制御により、特定のアプリケーションソフトウェアの動作状態に応じて不必要と思われる画像の投影を一時的に停止させることが可能となる。
【００２５】
請求項８記載の発明によれば、ユーザに一切の負担をかけずに、特定のアプリケーションソフトウェアの動作状態に応じて不必要と思われる画像の投影を一時的に停止させることが可能となる。
【００２６】
請求項９記載の発明によれば、ユーザに一切の負担をかけず、且つデータ処理装置単体の制御により、特定のアプリケーションソフトウェアの動作状態に応じて不必要と思われる画像の投影を一時的に停止させることが可能となる。
【図面の簡単な説明】
【００２７】
【図１】本発明の実施の一形態に係る２通りのシステム接続を示す図。
【図２】同実施の形態に係るパーソナルコンピュータの機能回路構成を示すブロック図。
【図３】同実施の形態に係るデータプロジェクタ装置の機能回路構成を示すブロック図。
【図４】同実施の形態に係るプレゼンテーションソフトウェア実行時の第１の処理内容を示すフローチャート。
【図５】同実施の形態に係るプレゼンテーションソフトウェア実行時の第２の処理内容を示すフローチャート。
【発明を実施するための形態】
【００２８】
以下本発明をパーソナルコンピュータ（ＰＣ）１とデータプロジェクタ装置２を接続してなる投影システムに適用した場合について図面を参照して説明する。
【００２９】
なお、本実施の形態では、パーソナルコンピュータ１とデータプロジェクタ装置２とを接続する方法として２種類、無線ＬＡＮ接続による方法とＲＧＢケーブル接続による方法とを選択することができるものとする。
【００３０】
図１（Ａ）は、無線ＬＡＮ接続によりパーソナルコンピュータ１とデータプロジェクタ装置２とを接続した第１の接続状態を例示するもので、ここでは例えばＩＥＥＥ８０２．１１ｂ規格（またはＩＥＥＥ８０２．１１ａ／８０２．１１ｇ規格等）により双方向で接続されて、パーソナルコンピュータ１から動画像データと後述するミュート制御のための信号がデータプロジェクタ装置２へ送出される。
【００３１】
データプロジェクタ装置２は、パーソナルコンピュータ１から送られてくる内容に従って画像データ、あるいは内部の光源ランプによる発光は行ないながらも画面全体が黒色となるミュート画像を投影し、併せて内蔵するスピーカ部より音声を拡声放音する。
【００３２】
また、図１（Ｂ）は、パーソナルコンピュータ１とデータプロジェクタ装置２とをＲＧＢケーブル３で接続した第２の接続状態を例示するもので、ここではＲＧＢケーブル３を介してパーソナルコンピュータ１からデータプロジェクタ装置２へ動画像データが伝送される一方で、ＩｒＤＡ規格等の赤外線（Ｉｒ）変調信号により後述するミュート制御のための信号が伝送される。
【００３３】
上記図１（Ａ）及び図１（Ｂ）のいずれの接続状態にあっても、パーソナルコンピュータ１は、データプロジェクタ装置２に付属している記録媒体、例えばＣＤ−ＲＯＭによりこのデータプロジェクタ装置２用のドライブプログラムを予めインストールしており、同プログラムを実行することにより、特定のアプリケーションプログラム、例えばプレゼンテーションソフトウェアの実行時に画像データをデータプロジェクタ装置２へ送出する一方で、画像のミュート動作を制御するための信号をデータプロジェクタ装置２へ出力する。
【００３４】
図２は上記パーソナルコンピュータ１の構成について説明するものである。この図２は、パーソナルコンピュータ１のハードウェア構成を示すものであり、各種処理制御を司るＣＰＵ１１とフロントサイドバスＦＳＢを介してノースブリッジ１２が接続される。
【００３５】
このノースブリッジ１２は、さらにメモリバスＭＢを介してメインメモリ１３と、またグラフィクスインタフェースＡＧＰを介してグラフィックコントローラ１４及びグラフィックメモリ１５と接続される他、サウスブリッジ１６とも接続され、主としてこれらの間での入出力制御を実行する。
【００３６】
サウスブリッジ１６は、ＰＣＩバス１７、キーボード／マウス１８、ビデオエンコーダ１９、無線ＬＡＮインタフェース（Ｉ／Ｆ）２０、Ｉｒ送受信部２１、ハードディスク装置（ＨＤＤ）２２と接続され、主としてこれら周辺回路とノースブリッジ１２との間の入出力制御を行なう。
【００３７】
なお、これらパーソナルコンピュータ１を構成する個々の要素自体は、きわめて一般的な技術であるのでその説明は省略するものとする。
【００３８】
なお、ビデオエンコーダ１９は、与えられたデジタル値の画像信号からアナログ値の画像信号であるＲＧＢビデオ信号を生成して出力する。
【００３９】
無線ＬＡＮインタフェース２０は、無線アンテナ２３を介して例えば２．４［ＧＨｚ］帯の電波の送受により上述したＩＥＥＥ８０２．１１ｂ規格に則った各種データの送受を行なう。
【００４０】
ハードディスク装置２２は、ＯＳ（オペレーティングシステム）や各種アプリケーションプログラム、データファイルと共に、上記データプロジェクタ装置２用のドライバソフトウェアをインストールして予め記憶しているものとする。
【００４１】
次に図３を用いて上記データプロジェクタ装置２の回路構成について説明する。
図中、入出力コネクタ部３１より入力された各種規格の画像信号が、入出力インタフェース（Ｉ／Ｆ）３２、システムバスＳＢを介して画像変換部３３で所定のフォーマットの画像信号に統一された後に、投影エンコーダ３４へ送られる。
【００４２】
投影エンコーダ３４は、送られてきた画像信号をビデオＲＡＭ３５に展開記憶させた上でこのビデオＲＡＭ３５の記憶内容からビデオ信号を生成して投影駆動部３６に出力する。
【００４３】
この投影駆動部３６は、送られてきた画像信号に対応して適宜フレームレート、例えば例えば６０［フレーム／秒］と色成分の分割数、及び表示階調数を乗算した、より高速な時分割駆動で空間的光変調素子（ＳＯＭ）である例えばマイクロミラー素子３７を表示駆動する。
【００４４】
このマイクロミラー素子３７に対して、リフレクタ３８内に配置された光源ランプ３９が出射する高輝度の白色光を、カラーホイール４０を介して適宜原色に着色し、ライトトンネル４１で輝度分布を均一化した後にミラー４２で全反射して照射することで、その反射光で光像が形成され、投影レンズ４３を介してここでは図示しないスクリーンに投影表示される。
【００４５】
しかるに、光源ランプ３９の点灯駆動と、カラーホイール４０を回転駆動するモータ（Ｍ）４４はいずれも投影光処理部４５からの供給電圧値に基づいて動作する。
【００４６】
上記各回路のすべての動作制御を司るのが制御部４６である。この制御部４６は、ＣＰＵと、投影動作時に該ＣＰＵで実行される動作プログラムを記憶した不揮発性メモリ、及びワークメモリ等により構成される。
【００４７】
この制御部４６にはまた、上記システムバスＳＢを介して無線ＬＡＮインタフェース（Ｉ／Ｆ）４７、測距処理部４８及び音声処理部４９が接続される。
【００４８】
無線ＬＡＮインタフェース４７は、無線アンテナ５０を介して例えば２．４［ＧＨｚ］帯の電波の送受により上述したＩＥＥＥ８０２．１１ｂ規格に則った各種データの送受を行なう。
【００４９】
測距処理部４８は、データプロジェクタ装置２の筐体前面の投影レンズ４３近傍に互いに直交するように埋設形成された２対の位相差センサからなる測距センサ５１を制御駆動し、それらの検出出力から任意の点位置までの距離を算出するもので、算出された距離値データは上記制御部４６へ送られる。
【００５０】
音声処理部４９は、ＰＣＭ音源等の音源回路を備え、投影動作時に与えられる音声データをアナログ化し、スピーカ５２を駆動して拡声放音し、あるいは必要によりビープ音等を発生させる。
【００５１】
なお、データプロジェクタ装置２は、その筐体上面に備えられるキースイッチ（ＳＷ）部５３における各キー操作信号が直接制御部４６に入力されると共に、Ｉｒ受信部５４からの信号も直接制御部４６に入力される。このＩｒ受信部５４は、データプロジェクタ装置２の筐体前面及び背面にそれぞれ設けられるＩｒ受信窓部より、このデータプロジェクタ装置２付属の図示しないリモートコントローラからの操作信号、あるいは外部機器からのＩｒＤＡ規格に則った赤外線変調信号を受信し、その受信信号をコード信号化して制御部４６に送出する。
【００５２】
次に上記実施の形態の第１の動作例について説明する。
図４は、上記図１（Ａ）に示した第１の接続状態における第１の動作例を例示するもので、その動作制御はパーソナルコンピュータ１側ではＣＰＵ１１が、データプロジェクタ装置２側では制御部４６がそれぞれ実行する。
【００５３】
データプロジェクタ装置２では、電源の投入に際して、光源ランプ３９の点灯発光の開始や入力される画像信号のサーチ等を含む各種初期設定を実行した後に（ステップＲ０１）、入力される画像データの内容に関わらず全画面が黒となるように投影画像のミュート設定を行なう（ステップＲ０２）。
【００５４】
この画像ミュート状態で、パーソナルコンピュータ１から無線ＬＡＮ経由で、画像ミュートを解除するための指示信号が画像データとは別に入力されたか否かを無線ＬＡＮインタフェース４７によりサーチさせ（ステップＲ０３）、サーチの結果その指示信号が受信されたか否かを判断する（ステップＲ０４）。
【００５５】
ここで受信されなかったと判断した場合には、再び上記ステップＲ０２からの処理に戻り、上記と同様にステップＲ０２〜Ｒ０４の処理を繰返すことで、パーソナルコンピュータ１から画像ミュートの状態の解除を指示する信号が入力されるのを待機する。
【００５６】
一方のパーソナルコンピュータ１では、無線ＬＡＮインタフェース２０と無線アンテナ２３を介して無線ＬＡＮによりデータプロジェクタ装置２との接続を行ない、併せてデータプロジェクタ装置２のドライバソフトウェアに含まれるミュート制御のためのアプリケーションソフトウェアを起動する（ステップＴ０１）。
【００５７】
次いで、予め特定されたアプリケーションソフトウェア、ここではプレゼンテーションソフトウェアの動作状態を取得し（ステップＴ０２）、当該アプリケーションソフトウェアが起動されたか否かを判断する（ステップＴ０３）。
【００５８】
ここで当該プレゼンテーションソフトウェアが起動されたと判断した場合にのみ、そのプレゼンテーションソフトウェアに基づく画像データの出力に先立って画像ミュート状態を解除するための指示信号をデータプロジェクタ装置２へ無線ＬＡＮ経由で発信する（ステップＴ０４）。
【００５９】
その後、今度は当該プレゼンテーションソフトウェアが終了されたか否かを判断する（ステップＴ０５）。
【００６０】
ここで当該プレゼンテーションソフトウェアが終了されたと判断した場合にのみ、そのプレゼンテーションソフトウェアに基づく画像データの出力を停止すると共に、あらたに画像ミュートの状態を設定するための指示信号をデータプロジェクタ装置２へ無線ＬＡＮ経由で発信する（ステップＴ０６）。
【００６１】
次いで無線ＬＡＮインタフェース２０によりデータプロジェクタ装置２との無線ＬＡＮ接続が断たれていないことを確認した上で（ステップＴ０７）、再び上記ステップＴ０２からの処理を繰返す。
【００６２】
なお、ここでデータプロジェクタ装置２との無線ＬＡＮ接続が断たれていると判断した場合には、その時点でこのデータプロジェクタ装置２の画像ミュートの制御を行なうアプリケーションプログラムを処理する。
【００６３】
他方、パーソナルコンピュータ１からの画像データ等を無線ＬＡＮ経由で受信するデータプロジェクタ装置２側では、上記ステップＴ０４での処理で発信されたパーソナルコンピュータ１からの画像ミュートを解除する指示信号を、上記ステップＲ０３でのサーチにより受信すると、続くステップＲ０４でその受信を確認し、それまで設定していた画像ミュートの状態を停止して、入力される画像データを投影レンズ４３より投影表示する状態に移行する（ステップＲ０５）。
【００６４】
ここでデータプロジェクタ装置２では、この入力される画像データの投影表示状態を維持しながらも、今度はパーソナルコンピュータ１から無線ＬＡＮ経由で、画像ミュートを設定するための指示信号が画像データとは別に入力されたか否かを無線ＬＡＮインタフェース４７によりサーチさせ（ステップＲ０６）、サーチの結果その指示信号が受信されたか否かを判断する（ステップＲ０７）。
【００６５】
ここで受信されなかったと判断した場合には、再び上記ステップＲ０５からの処理に戻り、以後は上記と同様にステップＲ０５〜Ｒ０７の処理を繰返すことで、パーソナルコンピュータ１から画像ミュートの状態の設定を指示する信号が入力されるのを待機する。
【００６６】
そして、上記ステップＴ０６での処理で発信されたパーソナルコンピュータ１からの画像ミュートを設定する指示信号を、上記ステップＲ０６でのサーチにより受信すると、続くステップＲ０７でその受信を確認し、それまで解除していた画像ミュートの状態を停止して、再び上記ステップＲ０２からの処理に戻り、画像ミュートの状態を設定する。
【００６７】
このように、パーソナルコンピュータ１及びデータプロジェクタ装置２を使用するユーザに一切の負担をかけずに、特定のアプリケーションソフトウェアである例えばプレゼンテーションソフトウェアの動作状態に応じて、不必要と思われる画像の投影を一時的に停止させるべく画像ミュート動作を切換え設定することができる。
【００６８】
特に上記第１の動作例では、特定のアプリケーションソフトウェアであるプレゼンテーションソフトウェアの起動と終了に応じて画像ミュートの状態を切換えるものとしたため、パーソナルコンピュータ１をシングルタスクあるいはそれに近い形態で運用する場合に、画像ミュートの状態をより的確に切換えることができる。
【００６９】
次に上記実施の形態の第２の動作例について説明する。 
図５は、上記図１（Ｂ）に示した第２の接続状態における第２の動作例を例示するもので、その動作制御はパーソナルコンピュータ１側ではＣＰＵ１１が、データプロジェクタ装置２側では制御部４６がそれぞれ実行する。
【００７０】
データプロジェクタ装置２では、電源の投入に際して、光源ランプ３９の点灯発光の開始や入力される画像信号のサーチ等を含む各種初期設定を実行した後に（ステップＲ５１）、入力される画像データの内容に関わらず全画面が黒となるように投影画像のミュート設定を行なう（ステップＲ５２）。
【００７１】
この画像ミュート状態で、パーソナルコンピュータ１から画像ミュートを解除するための指示信号が画像データとは別の赤外線変調信号の形で入力されたか否かをＩｒ受信部５４によりサーチさせ（ステップＲ５３）、サーチの結果その指示信号が受信されたか否かを判断する（ステップＲ５４）。
【００７２】
ここで受信されなかったと判断した場合には、再び上記ステップＲ５２からの処理に戻り、上記と同様にステップＲ５２〜Ｒ５４の処理を繰返すことで、パーソナルコンピュータ１から画像ミュートの状態の解除を指示する信号が入力されるのを待機する。
【００７３】
一方のパーソナルコンピュータ１では、ＲＧＢケーブル３を介してデータプロジェクタ装置２との接続を行ない、ビデオエンコーダ１９よりアナログのＲＧＢビデオ信号を送出する一方で、併せてデータプロジェクタ装置２のドライバソフトウェアに含まれるミュート制御のためのアプリケーションソフトウェアを起動する（ステップＴ５１）。
【００７４】
次いで、予め特定されたアプリケーションソフトウェア、ここではプレゼンテーションソフトウェアの動作状態を取得し（ステップＴ５２）、当該アプリケーションソフトウェアがアクティブな状態にあるか否かを判断する（ステップＴ５３）。
【００７５】
ここでマルチタスク環境にあって当該プレゼンテーションソフトウェアがアクティブ状態にあると判断した場合にのみ、そのプレゼンテーションソフトウェアに基づく画像データの出力に先立って画像ミュート状態を解除するための指示信号をデータプロジェクタ装置２へＩｒ送受信部２１より赤外線変調信号の形で発信する（ステップＴ５４）。
【００７６】
その後、今度は同じくマルチタスク環境にあって当該プレゼンテーションソフトウェア以外のアプリケーションソフトウェアがアクティブな状態にあるか否かを判断する（ステップＴ５５）。
【００７７】
ここで当該プレゼンテーションソフトウェア以外のアプリケーションソフトウェアがアクティブであると判断した場合にのみ、あらたに画像ミュートの状態を設定するための指示信号をＩｒ送受信部２１よりデータプロジェクタ装置２へ赤外線変調信号の形で発信する（ステップＴ５６）。
【００７８】
次いで、このミュート制御のためのアプリケーションソフトウェアの終了が指示されていないことを確認した上で（ステップＴ５７）、再び上記ステップＴ５２からの処理を繰返す。
【００７９】
なお、ここでこのミュート制御のためのアプリケーションソフトウェアの終了が指示されたと判断した場合には、その指示に従ってデータプロジェクタ装置２の画像ミュートの制御を行なうアプリケーションプログラムを処理する。
【００８０】
他方、パーソナルコンピュータ１からの画像データ等をＲＧＢケーブル３を介して入出力コネクタ部３１で受信するデータプロジェクタ装置２側では、上記ステップＴ５４での処理で発信されたパーソナルコンピュータ１からの画像ミュートを解除する指示信号を、上記ステップＲ５３でのサーチにより受信すると、続くステップＲ５４でその受信を確認し、それまで設定していた画像ミュートの状態を停止して、入力される画像データを投影レンズ４３より投影表示する状態に移行する（ステップＲ５５）。
【００８１】
ここでデータプロジェクタ装置２では、この入力される画像データの投影表示状態を維持しながらも、今度はパーソナルコンピュータ１から赤外線変調信号の形で画像ミュートを設定するための指示信号が画像データとは別に入力されたか否かをＩｒ受信部５４によりサーチさせ（ステップＲ５６）、サーチの結果その指示信号が受信されたか否かを判断する（ステップＲ５７）。
【００８２】
ここで受信されなかったと判断した場合には、再び上記ステップＲ５５からの処理に戻り、以後は上記と同様にステップＲ５５〜Ｒ５７の処理を繰返すことで、パーソナルコンピュータ１から画像ミュートの状態の設定を指示する信号が入力されるのを待機する。
【００８３】
そして、上記ステップＴ５６での処理で発信されたパーソナルコンピュータ１からの画像ミュートを設定する指示信号を、上記ステップＲ５６でのサーチにより受信すると、続くステップＲ５７でその受信を確認し、それまで解除していた画像ミュートの状態を停止して、再び上記ステップＲ５２からの処理に戻り、画像ミュートの状態を設定する。
【００８４】
このように、パーソナルコンピュータ１がマルチタスク環境にあるＯＳ（オペレーティングシステム）を使用しており、複数のアプリケーションソフトウェアを同時に実行しているような場合であっても、その環境に的確に対応し、特定のアプリケーションソフトウェアである例えばプレゼンテーションソフトウェアの動作状態に応じて、アクティブであるか否かにより、不必要と思われる画像の投影を一時的に停止させるべく画像ミュート動作を切換え設定することができる。
【００８５】
なお、上記第１及び第２の動作例では、いずれも特定のアプリケーションソフトウェアとしてプレゼンテーションソフトウェアが実行されている場合にそれ例外のアプリケーション等が実行されている状態での投影表示を避けるべく画像ミュートの設定と解除とを切換えるものとしたが、本発明は特定のアプリケーションソフトウェアをプレゼンテーションソフトウェアに限定するものではなく、その他の特定のアプリケーションソフトウェアでも同様に適用可能であることは勿論である。
【００８６】
しかしながら、特にこのようなシステムの運用者が、ユーザとして顧客等にプレゼンテーションを行なうプレゼンテーションソフトウェア使用時には、他のアプリケーションソフトウェアを使用する場合に比して、不必要な画像の投影によりユーザに不利益を生じる可能性も高いものと思われるので、上記実施の形態の如く、プレゼンテーションソフトウェアの動作状態に応じて画像ミュートの設定と解除とを切換えることは大変有用であるものと考える。
【００８７】
なお、上記実施の形態では画像ミュートの制御を行なう場合について説明したが、現実のプレゼンテーションソフトウェア等においては、画像データと共に音声データもパーソナルコンピュータ１からデータプロジェクタ装置２に伝送し、データプロジェクタ装置２で拡声報音させるものであり、画像のミュートに連動して音声のミュートも同様に制御するものとしてもよい。
【００８８】
また、上記実施の形態ではパーソナルコンピュータ１の発信する指示信号に対応してデータプロジェクタ装置２側で画像ミュートの制御動作を実行するものとしたが、本発明はこれに限らず、画像ミュートを行なうタイミングでデータ処理装置であるパーソナルコンピュータ１自体が画像データの出力を一時的に停止するものとしてもよい。
【００８９】
この場合、データプロジェクタ装置２では画像データの入力が途絶えることにより、予め設定されたデフォルト画面（通常は例えば全面が青色となるブルーバック画面）を投影表示するものとなる。
【００９０】
また、さらに、パーソナルコンピュータ１は画像データの出力を一時的に停止するのに代えて、画面全面が黒となる黒画像のデータを出力するものとしてもよい。
【００９１】
以上いずれの場合にあっても、データ処理装置であるパーソナルコンピュータ１単体での制御処理により実現することが可能であり、実際の投影表示を行なうデータプロジェクタ装置２側には特別な制御を施す必要がないため、パーソナルコンピュータ１にインストールするデータプロジェクタ装置２のドライバソフトウェアのみで対応することができ、きわめてその実現が容易となる。
【００９２】
なお、上記実施の形態では、画像データを出力するデータ処理装置は、パーソナルコンピュータ１であるものとして説明したが、本発明はこれに限らず、各種アプリケーションソフトウェアのドキュメント等が閲覧が可能なＰＤＡ（Ｐｅｒｓｏｎａｌ Ｄｉｇｉｔａｌ Ａｓｓｉｓｔａｎｔｓ：個人向け情報携帯端末）や携帯電話機であっても同様に実現することが可能である。
【００９３】
その他、本発明は上記実施の形態に限らず、その要旨を逸脱しない範囲内で種々変形して実施することが可能であるものとする。
【００９４】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【符号の説明】
【００９５】
１…パーソナルコンピュータ（ＰＣ）、２…データプロジェクタ装置、３…ＲＧＢケーブル、１１…ＣＰＵ、１２…ノースブリッジ、１３…メインメモリ、１４…グラフィックコントローラ、１５…グラフィックメモリ、１６…サウスブリッジ、１７…ＰＣＩバス、１８…キーボード／マウス、１９…ビデオエンコーダ、２０…無線ＬＡＮインタフェース（Ｉ／Ｆ）、２１…Ｉｒ送受信部、２２…ハードディスク装置（ＨＤＤ）、２３…無線アンテナ、３１…入出力コネクタ部、３２…入出力インタフェース（Ｉ／Ｆ）、３３…画像変換部、３４…投影エンコーダ、３５…ビデオＲＡＭ、３６…投影駆動部、３７…マイクロミラー素子（ＳＯＭ）、３８…リフレクタ、３９…光源ランプ、４０…カラーホイール、４１…ライトトンネル、４２…ミラー、４３…投影レンズ、４４…モータ（Ｍ）、４５…投影光処理部、４６…制御部、４７…無線ＬＡＮインタフェース（Ｉ／Ｆ）、４８…測距処理部、４９…音声処理部、５０…無線アンテナ、５１…測距センサ、５２…スピーカ、５３…キースイッチ（ＳＷ）部、５４…Ｉｒ受信部、ＡＧＰ…グラフィクスインタフェース、ＦＳＢ…フロントサイドバス、ＭＢ…メモリバス、ＳＢ…システムバス。
【図１】
2014206742.tif 000003
【図２】
2014206742.tif 000004
【図３】
2014206742.tif 000005
【図４】
2014206742.tif 000006
【図５】
2014206742.tif 000007
【手続補正書】
【提出日】平成26年6月12日(2014.6.12)
【手続補正１】
【補正対象書類名】明細書
【補正対象項目名】０００１
【補正方法】変更
【補正の内容】
【０００１】
本発明は、複数のアプリケーションの処理を実行するデータ処理装置及びプログラムに関する。
【手続補正２】
【補正対象書類名】明細書
【補正対象項目名】０００８
【補正方法】変更
【補正の内容】
【０００８】
本発明の目的とするところは、アプリケーションの状態に応じてデータの出力を制御できるようにすることにある。
【手続補正３】
【補正対象書類名】明細書
【補正対象項目名】０００９
【補正方法】変更
【補正の内容】
【０００９】
請求項１記載の発明は、複数のアプリケーションの処理を実行するデータ処理装置であって、前記複数のアプリケーションの内で予め特定された第１アプリケーションの状態を判別する第１判別手段と、前記複数のアプリケーションの内で前記特定の第１アプリケーション以外の第２アプリケーションの状態を判別する第２判別手段と、前記第１判別手段での判別結果に応じて当該データ処理装置におけるデータの外部出力の開始を制御し、前記第２判別手段での判別結果に応じて当該データ処理装置におけるデータの外部出力の停止を制御する出力制御手段と、を具備したことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項６記載の発明は、複数のアプリケーションの処理を実行するデータ処理装置であって、前記複数のアプリケーションの内で予め特定された第１アプリケーションによるデータを出力するよう制御する出力制御手段と、前記複数のアプリケーションの内で前記特定の第１アプリケーション以外の第２アプリケーションの状態を判別する判別手段と、を具備し、前記出力制御手段は、前記特定の第１アプリケーションによるデータの出力を、前記判別手段での判別結果に応じて制御する、ことを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
本発明によれば、アプリケーションの状態に応じてデータの出力を制御させることが可能となる。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】特許請求の範囲
【補正対象項目名】全文
【補正方法】変更
【補正の内容】
【特許請求の範囲】
【請求項１】
複数のアプリケーションの処理を実行するデータ処理装置であって、
前記複数のアプリケーションの内で予め特定された第１アプリケーションの状態を判別する第１判別手段と、
前記複数のアプリケーションの内で前記特定の第１アプリケーション以外の第２アプリケーションの状態を判別する第２判別手段と、
前記第１判別手段での判別結果に応じて当該データ処理装置におけるデータの外部出力の開始を制御し、前記第２判別手段での判別結果に応じて当該データ処理装置におけるデータの外部出力の停止を制御する出力制御手段と、
を具備したことを特徴とするデータ処理装置。
【請求項２】
前記第１判別手段は、当該データ処理装置を外部出力装置に接続した状態において、前記第１アプリケーションの状態を判別し、
前記第２判別手段は、当該データ処理装置を外部出力装置に接続した状態において、前記第２アプリケーションの状態を判別する、
ことを特徴とする請求項１記載のデータ処理装置。
【請求項３】
前記出力制御手段は、前記第１判別手段での判別結果に拘わらず、前記第２判別手段での判別結果に応じで当該データ処理装置におけるデータ出力の停止を制御する、
ことを特徴とする請求項１又は２に記載のデータ処理装置。
【請求項４】
前記第１判別手段は、前記第１アプリケーションがアクティブ状態になったか否かを判別し、
前記第２判別手段は、前記第２アプリケーションがアクティブ状態になったか否かを判別する、
ことを特徴とする請求項１〜３の何れかに記載のデータ処理装置。
【請求項５】
前記出力制御手段は、前記第１アプリケーションがアクティブ状態になった際に前記外部出力の開始を制御し、前記第２アプリケーションがアクティブ状態になった際に前記外部出力の停止を制御する、
ことを特徴とする請求項４記載のデータ処理装置。
【請求項６】
複数のアプリケーションの処理を実行するデータ処理装置であって、
前記複数のアプリケーションの内で予め特定された第１アプリケーションによるデータを出力するよう制御する出力制御手段と、
前記複数のアプリケーションの内で前記特定の第１アプリケーション以外の第２アプリケーションの状態を判別する判別手段と、
を具備し、
前記出力制御手段は、前記特定の第１アプリケーションによるデータの出力を、前記判別手段での判別結果に応じて制御する、
ことを特徴とするデータ処理装置。
【請求項７】
前記判別手段は、当該データ処理装置を外部出力装置に接続した状態において、前記第２アプリケーションの状態を判別する、
ことを特徴とする請求項６記載のデータ処理装置。
【請求項８】
前記出力制御手段は、前記判別手段での判別結果に応じて前記特定の第１アプリケーションによるデータの出力の停止を制御する、
ことを特徴とする請求項６又は７に記載のデータ処理装置。
【請求項９】
前記判別手段は、前記第２アプリケーションがアクティブ状態になったか否かを判別し、前記出力制御手段は、前記第２アプリケーションがアクティブ状態になった際に前記第１アプリケーションによるデータの出力の停止を制御する、
ことを特徴とする請求項６〜８の何れかに記載のデータ処理装置。
【請求項１０】
前記出力は、当該データ処理装置で処理された画像データを外部に対して投影表示する画像投影出力である、
ことを特徴とする請求項１〜９の何れかに記載のデータ処理装置。
【請求項１１】
複数のアプリケーションの処理を実行するデータ処理装置のコンピュータを制御するためのプログラムであって、
前記コンピュータを、
前記複数のアプリケーションの内で予め特定された第１アプリケーションの状態を判別する第１判別手段、
前記複数のアプリケーションの内で前記特定の第１アプリケーション以外の第２アプリケーションの状態を判別する第２判別手段、
前記第１判別手段での判別結果に応じて当該データ処理装置におけるデータの外部出力の開始を制御し、前記第２判別手段での判別結果に応じて当該データ処理装置におけるデータの外部出力の停止を制御する出力制御手段、
として機能させるようにしたコンピュータ読み取り可能なプログラム。
【請求項１２】
複数のアプリケーションの処理を実行するデータ処理装置のコンピュータを制御するためのプログラムであって、
前記コンピュータを、
前記複数のアプリケーションの内で予め特定された第１アプリケーションによるデータを出力するよう制御する出力制御手段、
前記複数のアプリケーションの内で前記特定の第１アプリケーション以外の第２アプリケーションの状態を判別する判別手段、
として機能させ、
前記出力制御手段は、前記特定の第１アプリケーションによるデータの出力を、前記判別手段での判別結果に応じて制御するように機能させるようにしたコンピュータ読み取り可能なプログラム。